(57)【特許請求の範囲】
【請求項１】
折丁を搬送する搬送装置と、前記搬送装置上に折丁を供給する複数の供給装置を有する中綴製本装置において、
吸気することにより、貼付物を吸着して搬送する吸着手段を有する搬送手段と、
前記貼付物の貼付面に接着部を設ける接着部構成手段と、
吸気を止めること、もしくは、排気することによって、前記貼付物を前記搬送手段から脱着し、搬送装置上の折丁に貼付する貼付手段と、
を有する貼付物貼付装置を、前記供給装置の任意の１つに代えて、変更可能に設置したことを特徴とする中綴製本装置。
【請求項２】
前記貼付物を搬送する搬送手段が、回転駆動可能な装置の円周軌道上に設けられていることを特徴とする請求項１記載の中綴製本装置。
【請求項３】
前記貼付物の貼付面に接着部を設ける接着部構成手段が、貼付面への接着剤の射出塗布によることを特徴とする請求項１、又は、請求項２いずれか記載の中綴製本装置。
【発明の詳細な説明】
【０００１】
【発明の属する技術分野】
本発明は複数の折丁の集合体を背側又は背部近傍にて綴じ合わせてなる中綴製本装置に関するものであり、特に中綴本の折丁にＣＤ収納体等の貼付物を貼付するための中綴製本装置に関する。
【０００２】
【従来の技術】
近年、雑誌等の中綴本の付録として、ＣＤ−ＲＯＭを封入した紙製の袋を貼付したものが多く出回ってきている。一方、現在の主な中綴本の製本装置においては、搬送装置上に折丁を順次供給し、搬送装置上で折丁を順次丁合する、複数の供給装置を有するものであって、インラインで自動的に製本できる装置となっている。
【０００３】
しかし、上記のような貼付物を貼付するには製本前の折丁や製本後の折丁に、手作業かそれに近い方法で貼り付けを行なっており、かなりの手間と労力を必要とするものであった。
【０００４】
また、先に折丁に貼り付ける方法では（特開平８−２８２１４８号公報参照）、後に折丁が供給装置にかかることから貼付位置が限定され、または供給装置により貼付物が破損したり、折丁に皺が出るといった問題もあった。
【０００５】
【発明が解決しようとする課題】
本発明はこのような問題点を解決するためになされたものであり、その課題とするところは、従来の中綴製本装置を変えることなく、ＣＤ収納体等の貼付物を、インラインで人手を省きまた貼付位置を変更可能とした中綴製本装置を提供することにある。
【０００６】
【課題を解決するための手段】
本発明のこの課題を解決するため、すなわち請求項１記載の発明においては、折丁を搬送する搬送装置と、前記搬送装置上に折丁を供給する複数の供給装置を有する中綴製本装置において、吸気することにより、貼付物を吸着して搬送する吸着手段を有する搬送手段と、前記貼付物の貼付面に接着部を設ける接着部構成手段と、吸気を止めること、もしくは、排気することによって、前記貼付物を前記搬送手段から脱着し、搬送装置上の折丁に貼付する貼付手段と、を有する貼付物貼付装置を、前記供給装置の任意の１つに代えて、変更可能に設置したことを特徴とする中綴製本装置を提供する。
【０００７】
請求項１記載の発明により、従来の製本装置がそのまま使用可能となる。また、供給装置の任意の１つに代えて貼付物貼付装置を設置することから、中綴本の任意の頁に貼付物を貼付可能となる。また、貼付物の貼付面に接着部を設けることから、万が一折丁への貼付に失敗したとしても、折丁同士が接着してしまうようなこともない。また、貼付物を搬送装置上の折丁に貼付することから、折丁の供給装置により貼付物が破損するようなこと、折丁に皺が出るようなこともなく、かつ折丁の任意の位置に貼付可能となる。
【０００８】
また、搬送部への吸着により貼付物を１つづつ搬送することが可能となり、前記搬送部から貼付物を脱着することにより貼付物を折丁に貼付することが可能となる。また、吸着による搬送であることから、貼付物の貼付面には特に保持具を必要とせず、接着部を設けることを容易なものとしている。
【０００９】
また請求項２記載の発明は、前記貼付物を搬送する搬送手段が、回転駆動可能な装置の円周軌道上に設けられていることを特徴とする請求項１記載の中綴製本装置である。
【００１０】
請求項２記載の発明により、装置全体を簡単に小さなものにできるので供給装置の任意の１つに代えて貼付物貼付装置を設けることを容易にしている。また、回転駆動であることから、中綴製本装置の折丁の搬送のタイミングと、貼付物の貼付のタイミングの調節が回転数の調整により容易に可能となる。また、吸着による搬送と脱着による貼付であれば、回転軸中にそのタイミングの調整機能を内蔵可能となる。
【００１１】
また請求項３記載の発明は、前記貼付物の貼付面に接着部を設ける接着部構成手段が、貼付面への接着剤の射出塗布によることを特徴とする請求項１、又は、請求項２いずれか記載の中綴製本装置である。
【００１２】
請求項３記載の発明により、前記貼付物の搬送を妨げることなく、貼付物の貼付面に接着部を設けることが出来るので、装置全体を簡単に小さなものにできるので供給装置の任意の１つに代えて貼付物貼付装置を設けることを容易にしている。また、貼付物を搬送する手段が、回転駆動可能な装置の円周軌道上に設けられているものであれば、射出塗布のタイミングを回転に合わせたものとすることで容易に設定可能となる。
【００１３】
以下、本発明を詳細に説明する。本発明における中綴製本装置の搬送装置、供給装置は各部ごとに取り外し可能であるものが好ましいが、特に限定されるものではなく、従来あるものでも一部の設計を調整することで本発明を適用できる。
【００１４】
本発明における貼付物としては、ＣＤ−ＲＯＭ収納体が主な対象であるが、これらに限定されるものではなく、中綴本に貼付可能なものであれば装置を適宜調整することで本発明を適用できる。
【００１５】
本発明における貼付物を搬送する手段、貼付物を折丁に貼付する手段としては、貼付物を搬送部に吸着・脱着する手段が好ましいが、特にこれに限定されるものではなく、貼付物を搬送、貼付することが出来れば本発明を適用できる。
【００１６】
前記貼付物を搬送部に吸着・脱着する手段としては、吸盤状の部品であって、吸盤内部より吸気・排気する機能を設けたものが好ましい。吸気により貼付物を設置した箇所より貼付物１つを搬送部に吸着する。吸気を止めるか排気により貼付物を搬送部より脱着し、貼付物を折丁に貼付出来る。さらには排気により貼付物を折丁に押し付けることも可能となる。しかし、特にこれに限定されるものではなく、搬送部に弾力性のある材料を用いてこれにより貼付物を折丁に押しつけるようにしても良いし、吸着を吸気ではなく電気的、磁気的手段を用いるなど、任意に適用可能である。
【００１７】
また貼付物を搬送する手段が、回転駆動可能な装置の円周軌道上に設けられているものが好ましいが、特にこれに限定されるものではなく、各工程を調節可能なものであれば特にこれらに限定されるものではなく、本発明を適用できる。
【００１８】
本発明における貼付物の貼付面に接着部を設ける手段としては、貼付面への接着剤の塗布が好ましく、特に貼付物の搬送途中において、熱溶融型の接着剤を射出塗布する方法が好ましいが、特にこれに限定されるものではなく、貼付物を折丁に貼付できるような接着部を設けることが出来れば、予め設けておいたシール部の覆いを剥がすような方法など、任意に適用可能である。
【００１９】
【発明の実施の形態】
以下、本発明の実施の形態につき図面に基づき詳細に説明する。図１に本発明における中綴製本装置における貼付物貼付装置の一実施例を、上方から見下ろした場合の情報の概略を示す。貼付物１は、右のライン上に積まれ、取り分け部２により１つづつ回転駆動する装置３の円周軌道上に設けられた貼付物を吸着／脱着する手段６を有する搬送部５に吸着され、接着剤射出塗布装置７により接着部を貼付面に設け、中綴製本装置の搬送装置上の折丁８に貼付４される。
【００２０】
取り分け部２は、貼付物の重ねて積まれた部分より、搬送部と合わせたタイミングで、吸着により１つづつ貼付物を取り分けた後搬送部に向けて送り出している。（図示せず）その際、２つ以上の貼付物が送られないように、抑え部が設けてある。
【００２１】
図２に前記一実施例を、中綴製本装置のライン沿いに側面から見た場合の状況の概略を示す。貼付物の積まれてある部分は省略してある。図２において、搬送部３は、中綴製本装置の搬送装置上の折丁８の角度に合わせて角度を付けるため、台座９、１０、１１を有している。貼付物を吸着／脱着する手段６は、搬送部５の回転方向に寄った位置に設けられている。これにより図１のようにベルトコンベアにより１つずつ取り分けて搬送されてきた貼付物１を回転駆動する搬送部に容易に吸着可能となり、かつ、脱着の際は折丁に貼付後、弾力性を有する搬送部により貼付物を折丁に押しつけるようにして貼付をより確実に行なえるようにしている。
【００２２】
図３に本発明の中綴製本装置全体を上方から見下ろした場合の構造の概略を示す。搬送装置１２上に複数の供給装置１３が設けられ、その一部に代えて貼付物貼付装置１４とその駆動装置１５が設けてある。
【００２３】
【発明の効果】
以上に示したように、本発明の中綴製本装置は、請求項１記載の発明によれば、従来の製本装置がそのまま使用可能となる。また、供給装置の任意の１つに代えて貼付物貼付装置を設けることから、中綴本の任意の頁に貼付物を貼付可能となる。また、貼付物の貼付面に接着部を設けることから、万が一折丁への貼付に失敗したとしても、折丁同士が接着してしまうようなこともない。また、貼付物を搬送装置上の折丁に貼付することから、折丁の供給装置により貼付物が破損するようなこと、折丁に皺が出るようなこともなく、かつ折丁の任意の位置に貼付可能となるという作用効果を奏する。
【００２４】
また、搬送部への吸着により貼付物を１つづつ搬送することが可能となり、前記搬送部から貼付物を脱着することにより貼付物を折丁に貼付することが可能となる。また、吸着による搬送であることから、貼付物の貼付面には特に保持具を必要とせず、接着部を設けることを容易なものとしている。
【００２５】
請求項２記載の発明によれば、装置全体を簡単に小さなものにできるので供給装置の任意の１つに代えて貼付物貼付装置を設けることを容易にしている。また、回転駆動であることから、中綴製本装置の折丁の搬送のタイミングと、貼付物の貼付のタイミングの調節が回転数の調整により容易に可能となる。また、吸着による搬送と脱着による貼付であれば、回転軸中にそのタイミングの調整機能を内蔵可能となるという作用効果を奏する。
【００２６】
請求項３記載の発明によれば、前記貼付物の搬送を妨げることなく、貼付物の貼付面に接着部を設けることが出来るので、装置全体を簡単に小さなものにできるので供給装置の任意の１つに代えて貼付物貼付装置を設けることを容易にしている。また、貼付物を搬送する手段が、回転駆動可能な装置の円周軌道上に設けられているものであれば、射出塗布のタイミングを回転に合わせたものとすることで容易に設定可能となるという作用効果を奏する。
【図面の簡単な説明】
【図１】貼付物貼付装置の一実施例を、上方から見下ろした場合の状況の概略図である。
【図２】図１の貼付物貼付装置を、中綴製本装置のライン沿いに側面から見た場合の状況の概略図である。
【図３】本発明の中綴製本装置全体を、上方から見下ろした場合の構造の概略図である。
【符号の説明】
１…貼付物、２…取り分け部、３…回転駆動する装置、４…貼付手段、５…搬送部、６…貼付物を吸着／脱着する手段、７…接着剤射出塗布装置、８…折丁、９、１０、１１…台座、１２…搬送装置、１３…供給装置、１４…貼付物貼付装置、１５…駆動装置
【図１】
0003629998.tif 000002
【図２】
0003629998.tif 000003
【図３】
0003629998.tif 000004